(57)【要約】【課題】鋼板製の棟瓦を過剰な手間を要することなく安定的に設けられるようにする。【解決手段】鋼板を屈曲して縦向きに延びた対の側壁５０ａ，５０ｂを形成してなる棟瓦５０を屋根上に固定するためのものであり、短冊状の鋼板を構成要素とし鋼板各幅方向を棟の長さ方向に沿って配置するものとされ、鋼板端面がＩ字状をなす胴部２とその下端から二股に延設されて逆Ｖ字状をなす脚部３と胴部２上端から左右に延設されて胴部２とともにＴ字状をなす腕部４を有した棟瓦用固定金具１Ａとし、腕部４両端側から棟瓦５０の側壁５０ａ，５０ｂを固定するための固定板４ａ，４ｂが各々縦向きに延設されており、脚部３が屋根上に固定され固定板４ａ，４ｂが棟瓦５０の側壁５０ａ，５０ｂ内側面に各々対向した状態で、外側から横向きに貫通するようにネジ２３，２３を螺入して棟瓦５０が固定されるものとした。【選択図】図４
2012251382.tif 000002
【特許請求の範囲】
【請求項１】
１枚の鋼板を内側に空間を形成するように屈曲して縦向きに延びた対の側壁を形成してなる棟瓦を屋根上に固定するためのものであって、短冊状の鋼板を構成要素として該鋼板の各幅方向を棟の長さ方向に沿って配置するものとされ、棟の長さ方向に沿う正面視にて、前記鋼板端面がＩ字状をなす胴部と該胴部下端から二股に延設されて逆Ｖ字状をなす脚部と前記胴部上端から左右方向に延設されて前記胴部とともにＴ字状をなす腕部を有してなる棟瓦用固定金具において、
前記腕部の横向きに延びた両端側から前記棟瓦の側壁部分を固定するための固定板が各々縦向きに延設されており、前記脚部が棟頂部を跨いだ状態で屋根上に固定され前記固定板が前記棟瓦の側壁内側面に各々対向した状態で、外側から前記側壁及び前記固定板を横向きに貫通するように各々ネジを螺入することで前記棟瓦が固定される、ことを特徴とする棟瓦用固定金具。
【請求項２】
前記固定板は、前記棟瓦を被せた状態で前記側壁内側面に対し近接位置で略平行な状態にて対向する、ことを特徴とする請求項１に記載した棟瓦用固定金具。
【請求項３】
前記固定板にはネジ孔が設けられておらず、ドリル式の前記ネジを外側から前記側壁を貫通しながら穿入することで、前記ネジ孔が形成されると同時に前記側壁が螺着される、ことを特徴とする請求項１または２に記載した棟瓦用固定金具。
【請求項４】
前記固定板は、前記腕部の両端側から下向きに屈曲して延設されている、ことを特徴とする請求項１，２または３に記載した棟瓦用固定金具。
【請求項５】
鋼板製の棟瓦を屋根に設けるための施工方法であって、請求項１，２，３または４に記載した棟瓦用固定金具を前記脚部が棟頂部を跨いだ状態で屋根の下地にネジ止めし、立設した前記棟瓦用固定金具に被せるように前記棟瓦を配置した後、縦向きに延びた前記側壁の外側から該側壁と前記固定板を横向きに貫通するようにドリル式の前記ネジを各々穿入することでネジ孔を形成しながら前記側壁を前記固定板に螺着して前記棟瓦を固定する、ことを特徴とする棟瓦施工方法。
【発明の詳細な説明】
【技術分野】
【０００１】
本発明は、棟瓦用固定金具及びそれを用いた棟瓦施工方法に関し、殊に、鋼板製の棟瓦を屋根の棟位置で固定するための固定金具、及びそれを用いて鋼板製の棟瓦を屋根に設けるための棟瓦施工方法に関する。  
【背景技術】
【０００２】
屋根の棟や下り棟には棟瓦が設けられるのが通常であるが、古くから伝わる施工方法においては、屋根の棟頂部分を挟んで突き合う瓦の上に熨斗瓦を重ね、その上に丸瓦を載せ漆喰等で固めて設けるのが一般的であった。この場合、施工作業やメンテナンス作業に大きな手間とコストを要することに加え、多量の熨斗瓦や粘土、漆喰を使用することで屋根の総重量を増大させる結果となって、家屋の耐震強度を低下させる要因の一つとなっていた。また、地震の際に棟瓦が熨斗瓦の部分で崩れて地上に落下することがあり、その危険性も問題視されている。
【０００３】
これに対し、例えば実公平７−３２７１６号公報に記載され図７に示すものに見られるように、縦向きの胴部１１下端側に逆Ｖ字形に開いた脚部１２を有し、胴部１１上端側に上向きコ字状の頭部１３を有した鋼板製の棟瓦用固定金具１Ｄを用いることで、その頭部１１で支持された固定用木材２００に丸瓦５３が釘２４で固定されており、熨斗瓦を用いることなく棟瓦を安定的に設置可能とした施工方法も知られている。
【０００４】
しかし、この施工方法においても、棟瓦用固定金具１Ｄの胴部１１周りには粘土等を充填して棟面戸８を形成する必要があり、そのために多くの手間を要することに加え、家屋の耐震性を確保する観点から重量の軽減は充分とは言えないものである。そこで、前述した棟瓦用固定金具１Ｄや特許第３８８０９７９号公報の図７に記載されている棟瓦用固定金具を用いながら、薄い鋼板で作成した棟瓦を棟部分に固定する施工方法が提案されており、これにより施工の手間とコストを削減しながら重量の大幅な軽減を実現可能としている。
【０００５】
しかしながら、この施工方法に用いる既存の棟瓦用固定金具は、本来は陶製の棟瓦を固定するためのものであり、鋼板製の棟瓦を直接固定するための構造を有していないことから、棟瓦との間に所定形状に加工した木材などの充填部材を配設する必要があるため、施工時にある程度の技術レベルが必要になるとともに、施工の手間を軽減する観点において充分とは言えないものである。
【先行技術文献】
【特許文献】
【０００６】
【特許文献１】実公平７−３２７１６号公報
【特許文献２】特許第３８８０９７９号公報
【発明の概要】
【発明が解決しようとする課題】
【０００７】
本発明は、上記のような問題を解決しようとするものであり、鋼板製の棟瓦を過剰な手間を要することなく安定的に設けられるようにすることを課題とする。
【課題を解決するための手段】
【０００８】
そこで、本発明は、１枚の鋼板を内側に空間を形成するように屈曲して縦向きに延びた対の側壁を形成してなる棟瓦を屋根上に固定するためのものであって、短冊状の鋼板を構成要素としてこの鋼板の各幅方向を棟の長さ方向に沿って配置するものとされ、棟の長さ方向に沿う正面視にてその鋼板端面がＩ字状をなす胴部とこの胴部下端から二股に延設されて逆Ｖ字状をなす脚部とその胴部上端から左右方向に延設されて胴部とともにＴ字状をなす腕部を有してなる棟瓦用固定金具において、その腕部の横向きに延びた両端側から棟瓦の側壁部分を固定するための固定板が各々縦向きに延設されており、脚部が棟頂部を跨いだ状態で屋根上に固定され固定板が棟瓦の側壁内側面に各々対向した状態で、外側から側壁及び固定板を横向きに貫通するように各々ネジを螺入することで棟瓦が固定される、ことを特徴とするものとした。
【０００９】
このように、胴部上端から横向きに延びた腕部両端側で固定板を縦向きに延設したものとし、これに棟瓦の側壁外側からネジを螺入することで固定金具の腕部両端側に棟瓦用固定金具の側壁部分を堅固に固定できるため、特別な技術を要することなく簡易な手順にて棟瓦を屋根上に安定的に設けることができるようになる。
【００１０】
また、この棟瓦用固定金具において、その固定板は棟瓦を被せた状態でその側壁内側面に対し近接位置で略平行な状態にて対向する、ことを特徴としたものとすれば、ネジ止めだけで堅固な固定力を発揮可能なものとなる。
【００１１】
さらに、上述した棟瓦用固定金具において、その固定板にはネジ孔が設けられておらず、ドリル式のネジを外側から側壁を貫通しながら穿入することでネジ孔が形成されると同時に側壁が螺着される、ことを特徴としたものとすれば、固定板の範囲内であればネジ止めの位置が任意に決定できることから、棟瓦の側壁外面においてその凹凸形状に合った位置にてネジ止めを行うことができ、且つ、ネジ孔の位置合わせが不要であり固定作業が短時間で完了するものとなる。
【００１２】
さらにまた、上述した棟瓦用固定金具において、その固定板は腕部の両端側から下向きに屈曲して延設されていることを特徴としたものとすれば、棟瓦の側壁における低い位置でのネジ止めが容易に行えるようになり、堅固な固定状態を確保しやすいとともに、胴部の高さを調整する機能を要さずに様々な高さの棟瓦に対応可能なものとなる。
【００１３】
加えて、鋼板製の棟瓦を屋根に設けるための施工方法であって、上述した棟瓦用固定金具を脚部が棟頂部を跨いだ状態で屋根の下地にネジ止めし、立設した棟瓦用固定金具に被せるように鋼板製の棟瓦を配置した後、その縦向きに延びた側壁の外側からこの側壁と固定板を横向きに貫通するようにドリル式のネジを各々穿入することでネジ孔を形成しながら側壁を固定板に螺着して棟瓦を固定する、ことを特徴とする棟瓦施工方法とすれば、大きな手間を要することなく棟瓦が棟瓦用固定金具に短時間で固定され、短時間で棟瓦の施工作業を完了することができる。
【発明の効果】
【００１４】
横向きに延びた腕部の両端側から固定板を縦向きに延設した本発明によると、過剰な手間を要することなく鋼板製の棟瓦を安定的に設けることができるものである。
【図面の簡単な説明】
【００１５】
【図１】本発明における実施の形態の棟瓦用固定金具の正面図。
【図２】図１の棟瓦用固定金具の斜視図。
【図３】図２の棟瓦用固定金具に棟瓦を固定する状態を説明するための斜視図。
【図４】図１の棟瓦用固定金具で棟瓦を屋根上に固定する手順を説明するための縦断面図。
【図５】図４とは棟瓦の形状及び瓦の厚さが異なる場合において、図１の棟瓦用固定金具で棟瓦を屋根上に固定する手順を説明するための縦断面図。
【図６】（Ａ）及び（Ｂ）は図１の棟瓦用固定金具の応用例を示す正面図。
【図７】従来例を示す縦断面図。
【発明を実施するための形態】
【００１６】
以下に、図面を参照しながら本発明を実施するための形態を説明する。
【００１７】
図１は本実施の形態である棟瓦用固定金具１Ａの正面図、図２はその斜視図を示している。この棟瓦用固定金具１Ａは、例えば図４，５に示す棟瓦５０，５１のように薄い鋼板を内側に空間を形成するように屈曲することで縦向きに延びた対の側壁を形成して陶製の棟瓦に近似した外観を付与した棟瓦を、屋根の上で固定するために用いられる。
【００１８】
斯かる棟瓦用固定金具１Ａは、短冊状にカットした鋼板を構成単位とし、各鋼板の幅方向を棟の長さ方向に沿うように配置されて用いられるものであり、設置する棟の長さ方向に沿う正面視（正面図）にて、鋼板端面による形状がＩ字状をなす胴部２と、胴部２下端から二股に分かれて延設され逆Ｖ字状をなす脚部３と、胴部２上端から左右方向に延設されて胴部２とともにＴ字状をなす腕部４を有している。
【００１９】
その胴部２は、短冊状の２枚の鋼板をネジ２１，２１で螺着して１枚にしてなるものであり、その下側の螺着されていない部分が左右に開いたことで脚３ａ，３ｂになって脚部３を構成している。この脚３ａ，３ｂにはネジ孔３０ａ，３０ｂ，３０ｃ，３０ｄが穿設されており、脚部３で屋根の棟頂を跨ぐように配置した状態でこれらの位置にて下地にネジ止めするようになっている（釘止めも可能であるが耐久性確保の観点からネジ止めが好適である）。
【００２０】
胴部２の上端側は、左右方向に屈曲して腕部４の一部をなすフランジを形成しており、この部分に腕部４を構成する鋼板の中央部分がネジ２１，２１で螺着されて、これが胴部２とともにＴ字状をなしている。そして、この腕部４の横向きに延びた両端側からは、棟瓦の側壁部分を固定するための固定板４ａ，４ｂが下方向に延設されており、この点が本発明の特徴部分となっている。
【００２１】
即ち、従来例において鋼板製の棟瓦を固定するのに用いた棟瓦用固定金具は、本来は陶製の棟瓦を固定するためのものであり、棟瓦を直接固定するための構造を有していないことから、瓦及び棟瓦用固定金具との間に充填部材（芯材）の配設を要して施工に手間を要していたのに対し、本発明では側壁を有した鋼板製の棟瓦を固定するための専用金具として、腕部４の両端側で側壁内側面に対向するように固定板４ａ，４ｂが設けてあり、これに棟瓦の側壁部分を直接螺着して固定できるようにした点がポイントとなっている。
【００２２】
図３の斜視図を参照して、斯かる棟瓦用固定金具１Ａを、屋根の下地（図示省略）に立設した状態で鋼板製の棟瓦５０を上から被せ、縦向きに延びてほぼ垂直に形成された側壁５０ａ，５０ｂの外側から、金属に対しネジ孔を穿設可能なドリル式のネジ２３，２３を専用工具で外側から側壁５０ａ，５０ｂを貫通させながら、固定板４ａ，４ｂを貫通するまで螺入して固定する方式である。
【００２３】
即ち、本実施の形態では、側壁５０ａ，５０ｂ及び固定板４ａ，４ｂには予めネジ孔が設けられておらず、ネジ２３，２３を回転させながら固定板４ａ，４ｂに穿入すると同時にネジ孔が形成され、それとともに側壁５０ａ，５０ｂがこれに螺着されることで固定作業が完了するものである。
【００２４】
この場合、棟瓦用固定金具１Ａにおける腕部４の左右方向の長さは、棟瓦５０を被せた状態で側壁５０ａ，５０ｂの内側面に対し固定板４ａ，４ｂが近接位置にて略平行な状態で対向するようになっており、より詳しくは、腕部４の長さが棟瓦５０内側空間の左右幅と同等又は僅かに小さく設定されており、ネジ２３，２３で側壁５０ａ，５０ｂを固定板４ａ，４ｂに螺着することで、これらがほぼ密着して堅固に固定されるものとなっている。
【００２５】
図４を参照して、本実施の形態の棟瓦用固定金具１Ａで棟瓦５０を屋根上に固定する手順を説明すると、棟の瓦７０，７０が突き合う隙間部分に棟瓦用固定金具１Ａの脚部３を棟頂部を跨ぐようにして配設し、下地８０の上面に脚３ａ，３ｂが下面を密着した状態にて、ネジ孔３０ａ，３０ｂ，３０ｃ，３０ｄの位置でネジ２２，２２，２２，２２により螺着・固定した後、その腕部４を覆うように棟瓦５０を上から被せて配置する。
【００２６】
この場合、棟瓦５０の袴部分下面側に弾性発泡樹脂素材からなるシール材９０，９０を棟の長さ方向に亘って瓦７０，７０上面との間に圧縮状態で介装することにより、雨水の浸入を阻止することが可能となる。次に、ドリル式にねじ込むように作られているネジ２３，２３を、側壁５０ａ，５０ｂの外側から固定板４ａ，４ｂの位置にてこれらを横向きに貫通するように専用工具で穿入すると、側壁５０ａ，５０ｂ及び固定板４ａ，４ｂにネジ孔が形成され、それと同時に側壁５０ａ，５０ｂが固定板４ａ，４ｂに螺着される。
【００２７】
このように、特別な技術を要することなく極めて簡易な手順で棟瓦用固定金具１Ａに棟瓦５０が固定され、短い施工時間で屋根上に棟瓦５０を設けることができる。また、この施工方法においては、瓦７０，７０及び棟瓦用固定金具１Ａとの間に木材等による充填部材を配設することなく棟瓦５０が堅固に固定され、且つ、熨斗瓦や粘土・漆喰を用いることなく陶製の棟瓦に近似した外観を与えることができるため、屋根の全体重量を大幅に軽減して耐震強度の向上に大きく貢献することができる。
【００２８】
図５は、図４の場合とは瓦７１の厚さが異なることに加え棟瓦５１の形状が異なる場合を示している。この例では、瓦７１，７１が波状に湾曲した日本瓦であるため、設置状態で下地８０からの高さが図４場合の２倍以上となり、棟瓦用固定金具１Ａの固定板４ａ，４ｂの位置が側壁５１ａ，５１ｂの下側になり、ネジ２３，２３による固定位置も低くなっている。
【００２９】
また、棟瓦５１の側壁５１ａ，５１ｂの外面には熨斗瓦を重ねたような凹凸形状が施してあるため、ネジ止め位置がある程度限定されることになるが、固定板４ａ，４ｂの範囲内において固定位置を任意に決定できるため、固定作業は比較的容易である。このように、本実施の形態の棟瓦用固定金具１Ａは、様々な厚さの瓦に対応できるとともに様々な形状の棟瓦にも対応することができる。
【００３０】
図６は上述した棟瓦用固定金具１Ａの応用例を示すものであり、図６（Ａ）は、２枚の長尺の短冊状鋼板を重ね合わせて中央部をネジ２１，２１で螺着し、図のように所定位置で屈曲させて胴部５、脚部６（脚６ａ，６ｂ）、腕部７を形成してなる棟瓦用固定金具１Ｂであり、その腕部７両端側には固定板７ａ，７ｂが形成されている。このような構成としたことにより、使用する短冊状の鋼板の数を削減出来るとともに、ネジ止め部分も半分に削減することができる。
【００３１】
一方、図６（Ｂ）はさらにその応用例であって、全体として１枚の鋼板からなることを特徴とした棟瓦用固定金具１Ｃの完成前の状態を示している。この例では、前述した２枚の長尺の短冊状鋼板を中央位置で繋げた形状としてあり、各破線部分を屈曲させるだけで棟瓦用固定金具１Ｂと近似した形状の棟瓦用固定金具１Ｃを得ることができる。これにより、ネジ止め部分を完全に無くすことができることに加え、その破線で示す各屈曲位置の高さを調整することで様々な高さや様々な腕部の幅に容易に変更できるようになる。
【００３２】
以上、述べたように、本発明により、鋼板製の棟瓦を過剰な手間を要することなく安定的に設けられるようになった。
【符号の説明】
【００３３】
１Ａ，１Ｂ，１Ｃ  棟瓦用固定金具、２，５  胴部、３，６  脚部、３ａ，３ｂ，６ａ，６ｂ  脚、４，７  腕部、４ａ，４ｂ，７ａ，７ｂ  固定板、２１，２２，２３  ネジ、５０，５１  棟瓦、５０ａ，５０ｂ，５１ａ，５１ｂ  側壁、７０，７１  瓦、８０  下地
【図１】
2012251382.tif 000003
【図２】
2012251382.tif 000004
【図３】
2012251382.tif 000005
【図４】
2012251382.tif 000006
【図５】
2012251382.tif 000007
【図６】
2012251382.tif 000008
【図７】
2012251382.tif 000009